(57)【特許請求の範囲】
【請求項１】
基台；
該基台に対して起立して該基台で支持される第１支持幹；
上端部に、袋の口縁部の外表面を引っ掛けるための第２外掛け部があり、第１支持幹と対向し、第１支持幹との間に袋を受け入れる空間を置いて、第１支持幹に近づく方向と離れる方向に傾動可に、第２外掛け部の下方で前記基台で支持される第２支持幹；
第２支持幹を第１支持幹から離れる方向に強制する第１弾力部材；
上部に、第２外掛け部に対向する、袋の開口縁部の外表面を引っ掛けるための第１外掛け部があり、下部が第１支持幹で支持されて、第１支持幹に対して第２外掛け部に近づく方向に傾斜した袋口支持部材；および、
第１支持幹と前記袋口支持部材の間の空間に下端部から挿入されて、該袋口支持部材に近づく方向に突出するように湾曲して第１外掛け部に圧接し、上端部が第１支持幹に固定された、可撓性および弾力性がある袋押さえ板；
を備える、袋支持スタンド。
【請求項２】
第１外掛け部は、第２支持幹の傾動と直交する水平方向に並んだ複数個である；請求項１に記載の袋支持スタンド。
【請求項３】
第１支持幹の裏側で第１支持幹で支持された、第２の袋口支持部材を備える；請求項１又は２に記載の袋支持スタンド。
【請求項４】
前記袋口支持部材は、第１外掛け部が第２外掛け部に近づく方向と離れる方向に傾動可に、第１外掛け部の下方で第１支持幹で支持され；袋スタンドはさらに、袋口支持部材を前記袋押さえ板を押す方向に強制する第２弾力部材を備える；請求項１乃至３のいずれか１つに記載の袋支持スタンド。
【請求項５】
第１および第２弾力部材の少なくとも一方はゴムバンドである；請求項４に記載の袋支持スタンド。
【請求項６】
第１および第２弾力部材の少なくとも一方は引張コイルスプリングである；請求項４に記載の袋支持スタンド。
【請求項７】
前記基台に、第２支持幹の傾動を案内しかつ傾動を所定範囲内に制限する案内穴を設け、該穴内に該傾動の中心となるピンを設け；第２支持幹の下端部に、下端面の開口に連なるピン受け穴を設けて、該下端面の開口を通して該ピン受け穴に前記ピンを挿脱するように第２支持幹を下げ，上げすることにより、前記基台に第２支持幹を着脱する構成とした；請求項１乃至６のいずれか１つに記載の袋支持スタンド。
【請求項８】
前記基台は、第２支持幹の傾動を案内しかつ傾動を所定範囲内に制限する前記案内穴を上方で塞ぎ基台床板となる開閉板を備える；請求項７に記載の袋支持スタンド。
【請求項９】
前記基台に、第１支持幹の下端部を差し込む穴を設け；第１支持幹の下端部に、該下端部が該穴に所定長進入すると以降の進入を阻止するストッパを設けて、前記基台の該穴に第１支持幹の下端部を挿，脱することにより、前記基台に第１支持幹を着脱する構成とした；請求項１乃至８のいずれか１つに記載の袋支持スタンド。
【請求項１０】
前記基台は３個以上の車輪を備える；請求項１乃至９のいずれか１つに記載の袋支持スタンド。
【請求項１１】
前記車輪の少なくとも１つは、車輪回転を拘止するロックレバー付きのキャスタである；請求項１０に記載の袋支持スタンド。
【発明の詳細な説明】
【技術分野】
【０００１】
本発明は、袋を開けて支持するスタンドに関し、特に、例えば家庭用のゴミ袋など、比較的に大きい袋を、開口を上向きにして広げて支持するスタンドに関する。このスタンドは例えば、台所でゴミ袋を開いて支持する用途、庭，道路，公園などで清掃によって集めたゴミや落ち葉をゴミ袋に入れる用途、ならびに、工事現場，建設現場あるいは建築物解体現場で廃棄物を袋に入れる用途に用いることができる。また、ゴミ以外のもの、例えば穀物，飼料，肥料およびその他の、粉体，粒体，部品，製品などの袋入れ作業に用いることができる。
【背景技術】
【０００２】
【特許文献１】特開２００１−４８３０２号公報
【特許文献２】実用新案第３０８９７１８号公報
【特許文献３】特開２００６−７６６９４号公報。
【０００３】
特許文献１には、一対の矩形パネルを対向配置してＸアームで相対的に接近，離反するように結合し、各矩形パネルの上端部に、ゴミ袋のつり手を差し込む多数のスリットを刻んだ、ごみ袋の支持台、が記載されている。特許文献２には、キャスタ付き台車にハンドル幹を立て、それにコの字型の、ゴミ袋の開口縁を支持する枠体を装着して、該枠体につるしたクリップでゴミ袋の開口縁を掴む、手押し式各種ごみ袋台車、が記載されている。特許文献３には、矩形フレーム基台の一辺にπ型（鳥居型）の第１脚を立て、対向辺に同様な第２脚を対向して立ててしかも傾動可に矩形フレーム基台で支持し、第１脚の上端にゴミ袋の開口を４角形にして保持するための一対のフック付き棒の端部のリングを吊り下げ支持し、先端のフックを第２脚の上端に係合させることによって、第１，２脚の上端とともに４角形のゴミ袋支持型を構成して、ゴミ袋の開口縁を洗濯ばさみでフック付き棒に固定する、ゴミ袋の支持スタンド、が記載されている。
【発明の開示】
【発明が解決しようとする課題】
【０００４】
支持したゴミ袋にゴミを入れるとき、手で開口を広げることがあり、また、入れるものが開口縁に当たって開口縁に力が加わることがある。特許文献１〜３のいずれでも、このような場合に、袋の開口縁がスタンドの支持部から外れるとか、破れてしまうことが考えられる。一方、ゴミを分別収集するときは複数のゴミ袋を開口を並べて支持しておくのが好ましい。また、庭，道路，公園，工事現場，建設現場あるいは建築物解体現場などで大量のゴミを次々と袋を取り替えて収納する場合、多数のゴミ袋を重ね保持しておき、袋の交換を簡易にすばやくおこなうのが好ましい。
【０００５】
本発明は、袋の開口縁を柔軟に支持することを第１の目的とし、複数の袋をいずれも開口を開いて併設可とすることを第２の目的とし、多数のゴミ袋を、袋の交換を簡易にすばやくおこなえるように重ね保持することを第３の目的とする。
【課題を解決するための手段】
【０００６】
（１）基台(1)；
該基台(1)に対して起立して該基台(1)で支持される第１支持幹(20)；
上端部に、袋の開口縁部の外表面を引っ掛けるための第２外掛け部(41)があり、第１支持幹(20)と対向し、第１支持幹(20)との間に袋を受け入れる空間(45)を置いて、第１支持幹(20)に近づく方向と離れる方向に傾動可に、第２外掛け部(41)の下方で前記基台(1)で支持される第２支持幹(40)；
第２支持幹(40)を第１支持幹(20)から離れる方向に強制する第１弾力部材(43)；
上部に、第２外掛け部(41)に対向する、袋の開口縁部の外表面を引っ掛けるための第１外掛け部(24,25)があり、下部が第１支持幹(20)で支持されて、第１支持幹(20)に対して第２外掛け部(41)に近づく方向に傾斜した袋口支持部材(23)；および、
第１支持幹(20)と前記袋口支持部材(23)の間の空間に下端部から挿入されて、該袋口支持部材(23)に近づく方向に突出するように湾曲して第１外掛け部(24,25)に圧接し、上端部が第１支持幹(20)に固定された、可撓性および弾力性がある袋押さえ板(26)；
を備える、袋支持スタンド。
【０００７】
なお、理解を容易にするために括弧内には、図面に示し後述する実施例の対応要素の符号を、例示として参考までに付記した。以下も同様である。
【発明の効果】
【０００８】
袋を、底側から空間(45)に降ろし、上側の開口縁を袋押さえ板(26)と第１外掛け部(24,25)の間に差し込んで下方にさげることにより、開口縁の一部が袋押さえ板(26)と第１外掛け部(24,25)で挟まれて袋押さえ板(26)の弾力で第１外掛け部(24,25)に押し付けられる。すなわち開口縁の一部が袋押さえ板(26)と第１外掛け部(24,25)で挟持される。この挟持部と対向する開口縁部を、第２支持幹(40)に力を加えてそれを第１支持幹(20)に近づく方向に押してから第２外掛け部(41)に被せて下方に下げることにより、該対向開口縁部が第２外掛け部(41)に引っ掛かる。すなわち第２外掛け部(41)で支持される。第１弾力部材(43)が、第２支持幹(40)を第１支持幹(20)から離れる方向に強制するので、袋の開口縁部が袋押さえ板(26)と第２外掛け部(41)で、略２等辺３角形状に支持され、この形状を維持するように、第１弾力部材(43)の弾力で引っ張られている。
【０００９】
ゴミ袋にゴミを入れるとき、手で開口が広げられたり、入れるものが開口縁に当たって開口縁に力が加わると、第２支持幹(40)が、第１弾力部材(43)の弾力に抗して、第１外掛け部(24,25)に近づく方向に移動し、開口縁に強い力が加わるのを回避する。すなわち開口縁の支持が柔軟であるので、開口縁はスタンドから外れにくく、破れにくい。
【００１０】
第１外掛け部(24,25)に、多数の袋の開口縁部を次々と上重ねして支持し、最上部の第１番の袋の開口縁部を第２外掛け部(41)で支持することにより、１つの袋のみが開口して支持され、他の複数の袋は第１外掛け部(24,25)に吊り下がった状態となる。開口した袋にゴミをいれてスタンドから取り外すと、この袋の下にあった第２番の袋の開口縁部を第２外掛け部(41)で支持することにより、第２の袋が開口して支持される。このように、多数のゴミ袋を、袋の交換を簡易にすばやくおこなえるように重ね保持することができる。
【００１１】
（２）第１外掛け部(24,25)は、第２支持幹(40)の傾動と直交する水平方向(ｘ)に並んだ複数個である；上記（１）に記載の袋支持スタンド。
【００１２】
第１外掛け部(24,25)を複数にすることにより複数の袋を開口を並べて支持することができる。たとえば、第１外掛け部(24,25)の１つ(24)と第２外掛け部(41)で第１の袋の開口縁部を支持してから、第２の袋の開口縁部の一部を第１外掛け部(24,25)のもう１つ(25)で支持し開口縁部の対向部分を、第１の袋の開口縁部に上重ねして第２外掛け部(41)に支持することにより、２つの袋を開口して並べて支持できる。どうように、第１外掛け部(24,25)の数を３又は４とすると３個または４個の袋を開口して並べて支持できる。
【００１３】
（３）第１支持幹(20)の裏側で第１支持幹(20)で支持された、第２の袋口支持部材(27)を備える；上記（１）又は（２）に記載の袋支持スタンド。
【００１４】
これによれば、第１支持幹(20)の裏側においても、第２の袋口支持部材(27)で袋の開口縁部を支持することができる。この袋には、その開口縁部の一部を手でささえてゴミを入れることができる。なお、第２の袋口支持部材(27)に対向する第２の第２支持幹および第２外掛け部をそなえることにより、すなわち基台(1)を第１支持幹(20)に関して前後対称構造とし、袋口支持部材(23)，第２支持幹(40)および第２外掛け部(41)と同様なものを、第１支持幹(20)に関して前後対称に備える態様もある。これによれば、第１支持幹(20)の裏側においても、袋を開口して支持できる。
【００１５】
（４）前記袋口支持部材(23)は、第１外掛け部(24,25)が第２外掛け部(41)に近づく方向と離れる方向に傾動可に、第１外掛け部(41)の下方で第１支持幹(20)で支持され；袋スタンドはさらに、袋口支持部材(23)を前記袋押さえ板(26)を押す方向に強制する第２弾力部材(31,32)を備える；上記（１）乃至（３）のいずれか１つに記載の袋支持スタンド。
【００１６】
（５）第１および第２弾力部材の少なくとも一方はゴムバンド(31,32)である；上記（４）に記載の袋支持スタンド。
【００１７】
（６）第１および第２弾力部材の少なくとも一方は引張コイルスプリング(33,42)である；上記（４）に記載の袋支持スタンド。
【００１８】
（７）前記基台(1)に、第２支持幹(40)の傾動を案内しかつ傾動を所定範囲内に制限する案内穴(10)を設け、該穴(10)内に該傾動の中心となるピン(11)を設け；第２支持幹(40)の下端部に、下端面の開口に連なるピン受け穴(44)を設けて、該下端面の開口を通して該ピン受け穴(44)に前記ピン(11)を挿脱するように第２支持幹(40)を下げ，上げすることにより、前記基台(1)に第２支持幹(40)を着脱する構成とした；上記（１）乃至（６）のいずれか１つに記載の袋支持スタンド。
【００１９】
（８）前記基台(1)は、第２支持幹(40)の傾動を案内しかつ傾動を所定範囲内に制限する前記案内穴(10)を上方で塞ぎ基台床板となる開閉板(17)を備える；上記（７）に記載の袋支持スタンド。
【００２０】
（９）前記基台(1)に、第１支持幹(20)の下端部を差し込む穴(15)を設け；第１支持幹(20)の下端部に、該下端部が該穴(15)に所定長進入すると以降の進入を阻止するストッパ(33)を設けて、前記基台(1)の該穴に第１支持幹(20)の下端部を挿，脱することにより、前記基台(1)に第１支持幹(20)を着脱する構成とした；上記（１）乃至（８）のいずれか１つに記載の袋支持スタンド。
【００２１】
（１０）前記基台(1)は３個以上の車輪(18a〜18d)を備える；上記（１）乃至（９）のいずれか１つに記載の袋支持スタンド。
【００２２】
（１１）前記車輪(18a〜18d)の少なくとも１つは、車輪回転を拘止するロックレバー付きのキャスタである；上記（１０）に記載の袋支持スタンド。
【発明を実施するための最良の形態】
【００２３】
本発明の他の目的および特徴は、図面を参照した以下の実施例の説明より明らかになろう。
【実施例１】
【００２４】
−第１実施例−
図１に、本発明の第１実施例を示す。水平基台１に対して第１支持幹２０が垂直に起立している。基台１の表裏面には桟（横木）２１，２２が固定されており、桟２１，２２には、袋口支持部材２３，２７の下端が乗っている。第１支持幹２０の上端部の表裏には、アクリルシート２６，３０の上端が固定されている。アクリルシート２６，３０は袋口支持部材２３，２７の第１外掛け部２４，２５に向けて湾曲して第１外掛け部２４，２５に接触し、下端が桟２１，２２に当たっている。アクリルシート２６，３０はこの湾曲により、可撓性および弾力性があり、アクリルシート２６，３０と第１外掛け部２４，２５との間に家庭用ゴミ袋の開口縁部を挿入することが可能である。袋口支持部材２３，２７は、それらの下方部分でゴムバンド３１，３２により、弾力性をもって締め付けられている。これにより、袋口支持部材２３，２７はアクリルシート２６，３０に押し付けられており、袋口支持部材２３，２７は傾斜が変わる姿勢変化が可能である。しかし袋口支持部材２３，２７の下端は常に桟２１，２２で下支持されている。
【００２５】
袋口支持部材２３，２７の第１外掛け部２４，２５は、袋の開口縁部を被せやすいように、また、角が袋を傷つけないように角が丸くなっており、しかも、袋の開口縁部が外れにくいように、上端部が第１支持幹２０に近づくように曲がっている。
【００２６】
基台１には、ゴミ袋収容空間４５をおいて第２支持幹４０が立てられ、第２支持幹４０は、その下端部を中心に、第１支持幹２０に近づく方向および離れる方向に傾動が可能である。しかし、引張コイルスプリング４３によって、離れる方向に強制されており、図示のように右方向に傾斜している。第１支持幹２０の上端部には、半円形板状の第２外掛け部４２を張り出した袋口支持部材４１がある。
【００２７】
アクリルシート２６と第１外掛け部２４，２５との間に家庭用ゴミ袋の開口縁部の一部を挿入し、第２支持幹４０を引張コイルスプリング４３の引っ張り力に抗して第１支持幹２０に近づく方向に強制してから、ゴミ袋の開口縁部の、該一部に対向する部分を、袋口支持部材４１の第２外掛け部４２に被せて下方に引き下げることにより、袋口支持部材４１で支持する。これにより、袋の開口は、第１外掛け部２４，２５で支持された部分を底辺とし、第２外掛け部４２で支持された部分を頂点として引張コイルスプリング４３によって引っ張られた、２等辺３角形形状となり、袋は袋収容空間４５に位置する。
【００２８】
図２に、基台１から第１支持幹２０および第２支持幹４０を上方に引き上げて分離した状態を示す。なお、第１支持幹２０は単に上方に引き上げることにより、図２に示すように基台１から分離するが、第２支持幹４０は、引張りコイルスプリング４３の下端を基台１から外してから上方に引き上げることにより、図２に示すように基台１から分離する。第１支持幹２０の下端部には、桟でもある第１ストッパ横木３３が下端２０ｂの端面と平行に固着されている。なお、引っ張りコイルスプリング４３は、ゴムバンドに置換することも出来る。
【００２９】
図３の（ａ）に、図２に示す基台１を拡大して示す。基台１には、相対向する縦木３ａ，３ｂの間に横木４，５，６および７を渡してこれらを縦木３ａ，３ｂに固着した長方形の格子台があり、この格子台に回転止めレバーが付いた４個のキャスタ１８ａ〜１８ｄが装着され、格子台を支えている。
【００３０】
横木６の先頭側（右側）の、第１支持幹２０の下端２０ｂを受け入れる細長い矩形の開口１５を空ける位置に、第１垂直ガイド横木１３が配置されて縦木３ａ，３ｂに固着されている。そして第１垂直ガイド横木１３から後尾側（左側）に、第１支持幹２０および第１ストッパ横木３３の厚みを合わせた距離分離れた位置に第２垂直ガイド横木１４が配置されて縦木３ａ，３ｂに固着されている。図２に示す第１支持幹２０を、その下端２０ｂを開口１５に挿入するように基台１に下げてゆくと、該下端２０ｂと第１ストッパ横木３３が、第２，第３垂直ガイド横木１３，１４の間にはまり込み、下端２０ｂはさらに開口１５にはまり込む。これにより下端部２０ｂが、横木６と第１垂直ガイド横木１３とで垂直に支持されるとともに、第１支持幹２０と第１ストッパ横木３３が、第１，第２垂直ガイド横木１３，１４で垂直に支持される。この状態を図１に示している。
【００３１】
基台１の先頭側（右側端）の横木４と次の横木５の間には、２本の縦木８，９が挿入されて横木４，５に固着されている。縦木８，９の間には、第２支持幹４０の下端部を受け入れるガイド穴となる空間１０が空いており、そこに、横木４，５と平行にピン１１が配置されて、縦木８，９に固定されている。
【００３２】
第２支持幹４０の下端には、このピン１１を受け入れる開口が連続するピン受け穴４４（図２）がある。該ピン受け穴４４にピン１１を受け入れて、第２支持幹４０を基台１に立てることにより、第２支持幹４０が基台１に対して、ピン１１を中心に傾動可となる。基台１には、第２支持幹４０の過剰な倒れ傾斜を防止する第２ストッパ横木１２が固着されているので、基台１に第２支持幹４０を立ててから、引張コイルスプリング４３を伸ばしてその下端を基台１係止具に引っ掛けることにより、第２支持幹４０は、図１に示す装着状態になる。
【００３３】
再度図３の（ａ）を参照する。基台１の、第２ストッパ１２から第１垂直ガイド横木１３までの距離の略半分の長さの固定床板１６が縦木３ａ，３ｂに固定されており、この固定床板１６と同等の長さの開閉床板１７が、蝶番で固定床板１６に連結されている。基台１に第２支持幹４０を装着するときには、開閉床板１７は、図１，図２および図３の（ａ）に示すように、固定床板１６上に載せておくので、第２支持幹４０を装着する空間は開いている。第２支持幹４０を基台１から取り外すと、開閉床板１７を、蝶番を中心に１８０度廻して、図３の（ｂ）に示すように、第２支持幹４０を装着する空間を閉じて、固定床板１６と開閉床板１７を基台１の床板として、基台１をキャスタ台車として使用することができる。基台１に第１支持幹２０を装着すると、第１支持幹２０を手押し幹として使用できる。
【実施例２】
【００３４】
−第２実施例−
図４に、第２実施例に用いる第１支持幹２０を示す。この第１支持幹２０は、第１実施例のゴムバンド３１，３２を省略し、代わりに、引張スプリング３４と蝶番を加えたものである。袋口支持部材２３，２７は、蝶番によって桟２１，２２に連結されている。引張コイルスプリング３４（および図面に現れないもう１個）が、引っ張りばね力で袋口支持部材２３，２７をそれぞれ第１支持幹２０に向かう方向に引っ張って、袋口支持部材２３，２７を介してアクリルシート２６，３０を圧する。第２実施例のその他の構造は、上述の第１実施例と同様である。なお、第２実施例においても、引張コイルスプリング４３は、ゴムバンドに置換してもよい。
【実施例３】
【００３５】
−第３実施例−
第３実施例は、第１実施例の、横木４，縦木８，９，横木５，ピン１１およびストッパ横木４の組合せでなる、第２支持幹４０支持構造、のもう一組を、第１支持幹２０受け穴１５（第１支持幹２０）に関して対称に、基台１に備え、しかも、第１実施例の第２支持幹４０と同様なものを２組備えて、第１支持幹２０に関して対称に、基台に装着するものである。その他の構造は、第１実施例と同様である。これによれば、第１支持幹２０の裏側の袋口支持部材２７に開口縁部を掛けた袋も、第１支持幹２０に関して第２支持幹４０と対称な位置にあるもうひとつの第２支持幹にも開口縁部を掛けて、開口を２等辺３角形形状に広げて支持できる。
【図面の簡単な説明】
【００３６】
【図１】本発明の第１実施例を斜め上方から見下ろした斜視図である。
【図２】図１に示す袋支持スタンドの主要部材を分離して示す斜視図である。
【図３】図３は図２に示す基台１を拡大して示す拡大斜視図であり、（ａ）は開閉床板１７を開けた状態を示し、（ｂ）はは開閉床板１７を閉めた状態を示す。
【図４】本発明の第２実施例に装備する第１支持幹２０の拡大斜視図である。
【符号の説明】
【００３７】
１：基台
３ａ，３ｂ：縦木
４〜７：横木
８，９：縦木
１０：ガイド穴
１１：ピン
１２〜１４：ストッパ横木
１５：開口
１６，１７：床板
１８ａ〜１８ｄ：キャスタ
２０：第１支持幹
２１，２２：桟
２３：袋口支持部材
２４，２５：第１外掛け部
２６：アクリルシート
２７：袋口支持部材
２９：外掛け部
３０：アクリルシート
３１，３２：ゴムバンド
３３：ストッパ横木
３４：引張コイルスプリング
４０：第２支持幹
４１：袋口支持部材
４２：第２外掛け部
４３：引張コイルスプリング
４４：ピン受け穴
４５：袋収容空間
【図１】
0004491485.tif 000002
【図２】
0004491485.tif 000003
【図３】
0004491485.tif 000004
【図４】
0004491485.tif 000005